(57)【要約】【課題】固形分の沈降に起因する不都合を防止するとともに、電源のオンオフ切換にも対応可能にした、液体噴射装置を提供する。【解決手段】液体噴射ヘッド３と、液体を収容する第１のタンク２、第２のタンク６を備える液体噴射装置である。第１、第２のタンクの液体残量を検出する液体残量検出手段と、第１のタンクと第２のタンクとを連通させる第１の流路１５と、液体噴射ヘッドと第１又は第２のタンクとを連通させる第２の流路１３と、タンク間で液体を移送可能にする液体移送手段と、電源のオンオフを検出するオンオフ検出手段と、液体移送手段を制御する制御手段１９とを備える。電源がオフからオンに切り換わった際、制御手段２０は各タンクの液体残量に基づき、液体残量の多い方のタンクから少ない方のタンクに液体を移送するように、液体移送手段を制御する。【選択図】図２
2011110833.tif 000002
【特許請求の範囲】
【請求項１】
液体を噴射する液体噴射ヘッドと、前記液体を収容する第１のタンク及び第２のタンクと、を備える液体噴射装置であって、
前記第１のタンクの液体残量を検出する第１の液体残量検出手段と、
前記第２のタンクの液体残量を検出する第２の液体残量検出手段と、
前記第１のタンクと前記第２のタンクとを連通させる第１の流路と、
前記液体噴射ヘッドと、前記第１のタンク及び前記第２のタンクのうちの少なくとも一方とを連通させる第２の流路と、
前記第１の流路を介して前記第１のタンク内の液体を前記第２のタンク内に移送することが可能であり、かつ、前記第１の流路を介して前記第２のタンク内の液体を前記第１のタンク内に移送することが可能である液体移送手段と、
液体噴射装置の電源のオンオフを検出するオンオフ検出手段と、
前記液体移送手段を制御する制御手段と、を備え、
前記オンオフ検出手段によって液体噴射装置の電源がオフからオンに切り換わったことが検出された際、前記制御手段は、前記第１の液体残量検出手段及び前記第２の液体残量検出手段で検出された前記第１のタンクの液体残量及び前記第２のタンクの液体残量に基づき、該液体残量の多い方のタンクから少ない方のタンクに液体を移送するように、前記液体移送手段を制御することを特徴とする液体噴射装置。
【請求項２】
電源オフ時から電源オン時までの電源遮断時間を検出する電源遮断時間検出手段が備えられており、
前記オンオフ検出手段によって液体噴射装置の電源がオフからオンに切り換わったことが検出され、さらに前記電源遮断時間検出手段によって電源遮断時間が所定時間以上であることが検出された際、前記制御手段は、液体残量の多い方のタンクから少ない方のタンクに液体を移送した後、タンク間での液体の移送方向を逆にして、再度液体の移送を行うように、前記液体移送手段を制御することを特徴とする請求項１記載の液体噴射装置。
【請求項３】
前記制御手段は、前記液体移送手段によって液体残量の多い方のタンクから少ない方のタンクに液体を移送させる際、液体残量の多い方のタンクの液体全量を移送させることなく所定量のみ移送させ、その後、タンク間での液体の移送方向を逆にして再度液体の移送を行わせることを特徴とする請求項２記載の液体噴射装置。
【請求項４】
前記第２の流路は、前記液体噴射ヘッドと、前記第１のタンク及び前記第２のタンクの両方とを連通させるよう構成されているとともに、該第２の流路には、前記液体噴射ヘッドに対して前記第１のタンク及び前記第２のタンクのうちのいずれか一方のみを連通させ、他方を遮断する切換弁が設けられていることを特徴とする請求項１〜３のいずれか一項に記載の液体噴射装置。
【請求項５】
前記制御手段は、前記液体移送手段によるタンク間での液体移送を終了させた後、液体残量の多い方のタンクと前記液体噴射ヘッドとが連通するよう、前記切換弁を制御することを特徴とする請求項４記載の液体噴射装置。
【発明の詳細な説明】
【技術分野】
【０００１】
本発明は、液体噴射装置に関する。
【背景技術】
【０００２】
液体噴射装置として、記録ヘッド（液体噴射ヘッド）の噴射口（ノズル）より記録媒体にインク（液体）を噴射する、インクジェット式プリンター（以下、プリンターと記す）が知られている。
このようなプリンターは、インクを収容するタンクを備え、このタンク内のインクを記録ヘッドに供給し、記録ヘッドからインクを吐出する。インクは、通常、顔料等の固形分と溶剤等の分散媒とを含む分散液からなっている。
【０００３】
このようなインクをプリンターで使用した場合、特にプリンターを長期間電源オフにし、不使用の状態に維持すると、タンク内に収容されたインク中の固形分が分離し沈降（沈殿）して、インクの固形分濃度が不均一になることがある。そして、このように固形分の沈降、固形分濃度の不均一が生じると、電源オフ後、再度電源をオンにしてインクを吐出し、印刷を行った際に、タンク内に沈降した固形分がそのままインクジェットヘッド側に供給されることにより、記録ヘッドのノズル詰まりが引き起こされたり、記録品質にムラが生じるといった不都合が生じてしまう。
【０００４】
そこで、このような不都合を防止するべく、インクを貯留（収容）するためのタンクとしてメインタンクとサブタンクとを用意し、これらを一つの流路で繋いで一方を高圧力、他方を低圧力にすることにより、タンク間でインクを往復させ、メインタンク内での沈降とサブタンク内での沈降の両方を防止するようにした、記録装置（プリンター）が知られている（例えば、特許文献１参照）。
【０００５】
この記録装置では、メインタンク、サブタンクのそれぞれの沈降を防止するべく、タンク内のインクを完全に混ぜ合わせるため、両者の容量を同じぐらいにして一方がほぼ空になるまで送る。そして、完全に空になる前に送液方向を変え、常にインクの流れを起こすようにしている。
【先行技術文献】
【特許文献】
【０００６】
【特許文献１】特開２００８−２１３２８１号公報
【発明の概要】
【発明が解決しようとする課題】
【０００７】
しかしながら、前記の記録装置では、電源がオンになっている間での記載はなされているものの、電源がオフになることについては何等記載されておらず、したがって電源がオフから電源がオンに切り換わったときなどについては何等考慮されていない。
例えば、容量が１００ｍｌで、メインタンクからサブタンクに送液中に電源がオフにされたとする。そのときのメインタンクの残量が９０ｍｌであり、サブタンクの残量が１０ｍｌであるとすると、電源オフ中に両タンク内のインクがそれぞれ沈降しても、電源オン時にメインタンクからサブタンクに例えばインクが１０ｍｌ流入すれば、サブタンク内のインクは十分に撹拌される。
しかし、メインタンクの残量が１０ｍｌであり、サブタンクの残量が９０ｍｌであるとすると、電源オン時にメインタンクからサブタンクに１０ｍｌ流入しても、サブタンク内では十分な撹拌効果が得られなくなる。
【０００８】
本発明は前記事情に鑑みてなされたもので、固形分の沈降に起因する不都合を防止するとともに、電源のオンオフ切換にも対応可能にした、液体噴射装置を提供することを目的としている。
【課題を解決するための手段】
【０００９】
前記目的を達成するため、本発明の液体噴射装置は、液体を噴射する液体噴射ヘッドと、前記液体を収容する第１のタンク及び第２のタンクと、を備える液体噴射装置であって、
前記第１のタンクの液体残量を検出する第１の液体残量検出手段と、
前記第２のタンクの液体残量を検出する第２の液体残量検出手段と、
前記第１のタンクと前記第２のタンクとを連通させる第１の流路と、
前記液体噴射ヘッドと、前記第１のタンク及び前記第２のタンクのうちの少なくとも一方とを連通させる第２の流路と、
前記第１の流路を介して前記第１のタンク内の液体を前記第２のタンク内に移送することが可能であり、かつ、前記第１の流路を介して前記第２のタンク内の液体を前記第１のタンク内に移送することが可能である液体移送手段と、
液体噴射装置の電源のオンオフを検出するオンオフ検出手段と、
前記液体移送手段を制御する制御手段と、を備え、
前記オンオフ検出手段によって液体噴射装置の電源がオフからオンに切り換わったことが検出された際、前記制御手段は、前記第１の液体残量検出手段及び前記第２の液体残量検出手段で検出された前記第１のタンクの液体残量及び前記第２のタンクの液体残量に基づき、該液体残量の多い方のタンクから少ない方のタンクに液体を移送するように、前記液体移送手段を制御することを特徴としている。
【００１０】
この液体噴射装置によれば、液体噴射装置の電源がオフからオンに切り換わった際、第１のタンクと第２のタンクのうちの、液体残量の多い方のタンクから少ない方のタンクに液体を移送するようにしているので、液体残量の少ない方のタンクでは液体の供給を受けることにより、液体がタンク内で流動する。したがって、タンク内に残存していた液体も共に流動することにより、撹拌効果が得られ、沈降していた固形分も再度均一に分散するようになる。よって、このタンクから液体噴射ヘッドに液体を供給し、液体噴射ヘッドから液滴吐出を行うことにより、吐出性が安定し、記録品質も均一になる。
【００１１】
また、前記液体噴射装置においては、電源オフ時から電源オン時までの電源遮断時間を検出する電源遮断時間検出手段が備えられており、
前記オンオフ検出手段によって液体噴射装置の電源がオフからオンに切り換わったことが検出され、さらに前記電源遮断時間検出手段によって電源遮断時間が所定時間以上であることが検出された際、前記制御手段は、液体残量の多い方のタンクから少ない方のタンクに液体を移送した後、タンク間での液体の移送方向を逆にして、再度液体の移送を行うように、前記液体移送手段を制御するのが好ましい。
【００１２】
電源遮断時間が所定時間以上であると、液体残量の多い方のタンクでも固形分の沈降が進み、したがってタンク内の上部と下部との固形分濃度が大きく異なってしまう。そのような状態で仮に上部の液体（上澄み液）だけが液体残量の少ない方のタンクに移送されると、このタンクでは液体中の固形分濃度の低下が起こる。そこで、液体残量の多い方のタンクから少ない方のタンクに液体を移送した後、タンク間での液体の移送方向を逆にして、再度液体の移送を行うことにより、沈降の解消とともに、両方のタンクの液体間で固形分濃度を均一化することができる。
【００１３】
なお、前記制御手段は、前記液体移送手段によって液体残量の多い方のタンクから少ない方のタンクに液体を移送させる際、液体残量の多い方のタンクの液体全量を移送させることなく所定量のみ移送させ、その後、タンク間での液体の移送方向を逆にして再度液体の移送を行わせるのが好ましい。
このようにすれば、液体残量の多い方のタンクの液体を全量移送する場合に比べ、特に移送方向を逆にして再度液体の移送を行わせた際の撹拌効果が高まる。
【００１４】
また、前記液体噴射装置においては、前記第２の流路は、前記液体噴射ヘッドと、前記第１のタンク及び前記第２のタンクの両方とを連通させるよう構成されているとともに、該第２の流路には、前記液体噴射ヘッドに対して前記第１のタンク及び前記第２のタンクのうちのいずれか一方のみを連通させ、他方を遮断する切換弁が設けられているのが好ましい。
このようにすれば、切換弁によって沈降を解消した側のタンクを選択し、液体噴射ヘッドに液体を供給することが可能になる。
【００１５】
なお、前記制御手段は、前記液体移送手段によるタンク間での液体移送を終了させた後、液体残量の多い方のタンクと前記液体噴射ヘッドとが連通するよう、前記切換弁を制御するのが好ましい。
このようにすれば、液体残量の多い方のタンクから液体噴射ヘッドに優先的に液体を供給することができ、したがって液体噴射ヘッドから長時間安定して液滴吐出を行うことができる。
【図面の簡単な説明】
【００１６】
【図１】本発明の一実施形態に係るプリンター装置を示す一部分解斜視図である。
【図２】本発明の一実施形態を説明するための、要部構成を示す模式図である。
【図３】制御装置のブロック図である。
【図４】記録ヘッドの構成を説明するための要部側断面図である。
【図５】本発明の他の実施形態を説明するための、要部構成を示す模式図である。
【発明を実施するための形態】
【００１７】
以下、本発明の実施形態について、図面を参照しつつ説明する。図１は、本発明におけるプリンター（液体噴射装置）の一実施形態の概略構成を示す一部分解図であり、図１中符号１はプリンターである。
【００１８】
このプリンター１は、サブタンク（第１のタンク）２及び記録ヘッド（液体噴射ヘッド）３を搭載したキャリッジ４と、プリンター本体５と、インクカートリッジからなるメインタンク（第２のタンク）６とを備えて概略構成されている。
プリンター本体５には、キャリッジ４を往復移動させるキャリッジ移動機構（図示せず）と、記録紙（図示せず）を搬送する紙送り機構（図示せず）と、記録ヘッド３に供給するインクを貯留（収容）した前記メインタンク６（インクカートリッジ）とが設けられている。
【００１９】
前記キャリッジ移動機構は、プリンター本体５の幅方向に架設されたガイド軸８と、パルスモータ９と、パルスモータ９の回転軸に接続されてこのパルスモータ９によって回転駆動される駆動プーリー１０と、駆動プーリー１０とはプリンター本体５の幅方向の反対側に設けられた遊転プーリー１１と、駆動プーリー１０と遊転プーリー１１との間に掛け渡されてキャリッジ４に接続されたタイミングベルト１２と、から構成されている。このような構成のもとに、パルスモータ９を駆動することにより、キャリッジ４がガイド軸８に沿って主走査方向に往復移動するようになっている。また、前記紙送り機構は、紙送りモーターやこの紙送りモーターによって回転駆動される紙送りローラ（いずれ図示せず）等から構成され、記録紙を記録（印字・印刷）動作に連動させてプラテン上に順次送り出すようになっている。
【００２０】
図２は、本発明の一実施形態を説明するための、記録ヘッド３の周辺における要部構成を示す模式図である。
図２に示すように記録ヘッド３には、導入針や配管等からなる接続管（第２の流路）１３を介してサブタンク２が接続されており、これによってサブタンク２内と記録ヘッド３内とは連通している。なお、接続管１３には、本実施形態では開閉弁７が設けられており、これによってサブタンク２内と記録ヘッド３内とは、連通状態と遮断状態との切り換えが可能になっている。
【００２１】
サブタンク２には、加圧ポンプ１４が接続されている。これによってサブタンク２内に収容されているインク（液体）は、後述するようにこの加圧ポンプ１４によってメインタンク６側に圧送（移送）可能になっている。なお、この加圧ポンプ１４は、サブタンク２から記録ヘッド３にインクを供給する場合には作動せず、したがってサブタンク２から記録ヘッド３へのインクの供給の際には、従来のプリンターと同様の機構によってインクの供給がなされるようになっている。
【００２２】
このサブタンク２には、接続チューブ（第１の流路）１５を介してメインタンク６が接続されている。これにより、サブタンク２内とメインタンク６内とは連通している。メインタンク６には、加圧ポンプ１６が接続されており、メインタンク６内に収容されているインク（液体）は、この加圧ポンプ１６によってサブタンク２側に圧送（移送）可能になっている。なお、本実施形態では、この加圧ポンプ１６と前記加圧ポンプ１４とにより、接続チューブ（第１の流路）１５を介してタンク２、６間でインクを相互に移送する、本発明の液体移送手段が構成されている。
【００２３】
また、これらサブタンク２、メインタンク６には、それぞれの内部に残留するインク（液体）の量を検出するインク残量検出装置が設けられている。すなわち、サブタンク２には第１のインク残量検出装置（第１の液体残量検出手段）１７が設けられ、メインタンク６には第２のインク残量検出装置（第２の液体残量検出手段）１８が設けられている。これら検出装置１７、１８としては、例えば発光部と受光部とを有し、発光部から出射した光がタンク内のインクの液面で反射するのを利用し、この反射光を受光部で検出することにより、液面の高さ（レベル）、すなわち液量を検出するよう構成されたものが用いられる。あるいは、フロート式の液面計を用いた構成のものや、その他、公知の液量計が採用可能である。
【００２４】
これら検出装置１７、１８は、制御装置（制御手段）１９に電気的に接続されており、その作動のオンオフが制御装置１９によって制御されるようになっている。また、検出装置１７、１８で検出された値は、電気信号として制御装置１９に送られ、図３に示すように演算部２０によって液量に算出された後、サブタンク２の液量とメインタンク６の液量との比較がなされるようになっている。
【００２５】
また、制御装置１９には、プリンター１の電源のオンオフを検出するオンオフ検出部２１が設けられているとともに、このオンオフ検出部２１に接続してタイマー２２が設けられている。このタイマー２２は、オンオフ検出部２１で検出された電源オフ時から電源オン時までの時間、すなわち電源遮断時間を検出する電源遮断時間検出手段となるもので、検出した電源遮断時間をインク移送制御部（液体移送制御部）２３に出力するようになっている。
【００２６】
インク移送制御部２３は、前記演算部２０から送られてきたサブタンク２の液量とメインタンク６の液量との比較結果、前記オンオフ検出部２１で検出された電源オンや電源オフの信号、さらには前記タイマーで検出された電源遮断時間に基づき、後述するように前記の加圧ポンプ１４及び加圧ポンプ１６からなる液体移送手段、さらには開閉弁７を制御するようになっている。
【００２７】
記録ヘッド３は、図４に示すように合成樹脂製のヘッドケース２８を有したもので、このヘッドケース２８の下端面に流路ユニット２９を接合し、ヘッドケース２８の内部にアクチュエータユニット３０を収容し、流路ユニット２９側とは反対の上端面側に前記接続管１３が設けられるようになっている。
【００２８】
このヘッドケース２８の内部には、高さ方向を貫通してケース流路３５が設けられている。このケース流路２５の上端は、前記接続管１３に連通するようになっている。
また、ケース流路２５の下端は、流路ユニット２９内の共通インク室４４に連通するようになっている。したがって、前記接続管１３から導入されたインクは、ケース流路３５を通じて共通インク室４４側に供給されるようになっている。
【００２９】
また、ヘッドケース２８内に収容されるアクチュエータユニット３０は、櫛歯状に列設された複数の圧電振動子（駆動部）３８と、この圧電振動子３８が接合される固定板３９と、プリンター本体側からの駆動信号を圧電振動子３８に供給する配線部材としてのフレキシブルケーブル４０とから構成されている。各圧電振動子３８は、固定端部側が固定板３９上に接合され、自由端部側が固定板３９の先端面よりも外側に突出している。すなわち、各圧電振動子３８は、所謂片持ち梁の状態で固定板３９上に取り付けられている。
【００３０】
また、各圧電振動子３８を支持する固定板３９は、例えば厚さ１ｍｍ程度のステンレス鋼によって構成されている。そして、アクチュエータユニット３０は、固定板３９の背面を、収容空部３７を区画するケース内壁面に接着することで収容空部３７内に収納・固定されている。
【００３１】
流路ユニット１９は、振動板（封止板）４１、流路基板４２及びノズル基板４３からなる流路ユニット構成部材が、積層された状態で一体化されて作製されたもので、共通インク室４４からインク供給口４５及び圧力室４６を通りノズル４７に至るまでの一連のインク流路（液体流路）を形成する部材である。圧力室４６は、ノズル４７の列設方向（ノズル列方向）に対して直交する方向に細長い室として形成されており、それぞれに対応する前記圧電振動子３８を備えている。また、共通インク室４４は、前記接続管１３に連通してサブタンク２側からのインクが導入される室である。
そして、この共通インク室４４に導入されたインクは、インク供給口４５を通じて各圧力室４６に分配供給されるようになっている。
【００３２】
流路ユニット２９の底部に配置されるノズル基板４３は、ドット形成密度に対応したピッチ（例えば１８０ｄｐｉ）で複数のノズル４７を列状に開設した金属製の薄い板材である。ノズル基板４３の表面には、複数のノズル開口４７ａが形成されており、このようなノズル開口４７ａを形成したノズル基板４３の表面により、ノズル開口面４３ａが構成されている。
【００３３】
流路基板４２は、結晶性を有する基材であるシリコンウェハを異方性エッチング処理することによって作製されている。振動板４１は、ステンレス鋼等の金属製の支持板上に弾性フィルムをラミネート加工した二重構造の複合板材である。この振動板４１の圧力室４６に対応する部分には、エッチングなどによって支持板を環状に除去することで、圧電振動子３８の先端面が接合される島部４８が形成されている。この部分は、ダイヤフラム部として機能するようになっている。すなわち、この振動板４１は、圧電振動子３８の作動に応じて島部４８の周囲の弾性フィルムが弾性変形するように構成されている。また、振動板４１は、流路基板４２の一方の開口面を封止し、コンプライアンス部４９としても機能するようになっている。このコンプライアンス部４９に相当する部分については、ダイヤフラム部と同様に、エッチングなどにより支持板を除去して弾性フィルムだけにしている。
【００３４】
そして、前記の記録ヘッド３において、フレキシブルケーブル４０を通じて駆動信号が圧電振動子３８に供給されると、この圧電振動子３８が素子長手方向に伸縮し、これに伴い島部４８が圧力室４６に近接する方向或いは離隔する方向に移動する。これにより、圧力室４６の容積が変化し、圧力室４６内のインクＬに圧力変動が生じる。この圧力変動によってノズル４７からインク滴Ｄが吐出される。
【００３５】
次に、このような構成からなるプリンター１の動作について説明する。
通常の作動時、すなわち電源オンの状態での作動時では、図２に示した接続管１３の開閉弁７が開放され、サブタンク２から記録ヘッド３にインクが供給され、さらに記録ヘッド３からインクが吐出される。また、インクの吐出に伴ってサブタンク２内のインク量が減少すると、メインタンク６からサブタンク２内にインクが供給される。これは、例えば第１のインク残量検出装置１７でサブタンク２内のインクの残量を検出し、これが所定量以下になったら、制御装置１９によって加圧ポンプ１６を作動させ、メインタンク６からサブタンク２にインクを移送するようにしておく。
【００３６】
このようにしてプリンターを動作させた後、その動作を終了するべく電源をオフにすると、制御装置１９のオンオフ検出部２１では電源オフ時を検出し、タイマー２２では電源遮断時間をカウントする。
そして、再度プリンターを動作させるべく、電源をオンにすると、前記オンオフ検出部２１では電源オン時を検出し、タイマー２２では電源遮断時間を検出する。
【００３７】
ここで、本実施形態では、タイマー２２で検出された電源遮断時間に基づき、制御装置１９による前記液体移送手段の制御方法を場合分けする。すなわち、電源遮断時間が長く、タンク２、６内のインクの流動が無い状態が長くなると、よりインク中の固形分の濃度の沈降分離が進むが、逆に電源遮断時間が短い場合には、比較的固形分の濃度の沈降分離は僅かになる。そこで、この沈降分離の程度を電源遮断時間で判断し、沈降分離の度合いが少ない場合と、多い場合とで、制御装置１９は前記液体移送手段の制御方法を異ならせている。
【００３８】
まず、沈降分離の度合いが少ない場合として、例えば電源遮断時間が４８時間未満の場合ついての制御方法を説明する。ただし、基準となる電源遮断時間については、インクの種類やタンクの容量等に応じて適宜に設定される時間であり、「４８時間」というのは単にその一例にしかすぎない。したがって、この基準となる電源遮断時間については、予め製造時において設定され、あるいはユーザーが任意に設定可能になっている。
【００３９】
制御装置１９は、オンオフ検出部２１によって電源オフから電源オンに切り換わったことを検出し、さらにタイマー２２によって検出された電源遮断時間が４８時間未満であることを検出すると、接続管１３の開閉弁７を閉止させ、第１のインク残量検出装置１７、第２のインク残量検出装置１８によってサブタンク２内、及びメインタンク６内のインク残量をそれぞれ検出させる。
【００４０】
サブタンク２内及びメインタンク６内のインク残量がそれぞれ検出されると、その検出結果は制御装置１９の演算部２０に送られる。そして、ここで各インク残量が比較されることにより、いずれのタンクの残量が多いかが制御装置１９に認識される。
すると、制御装置１９は、そのインク移送制御部２３により、インク残量の多い方のタンクから少ない方のタンクにインクを移送するように、前記の液体移送手段、すなわち加圧ポンプ１４あるいは加圧ポンプ１６を動作させる。その際、基本的にはインク残量の多い方のタンクの残量全てを少ない方のタンクに移送することなく、予め設定された量、例えば半分量〜９５％程度の量の適宜量を移送する。
【００４１】
このように、インク残量の多い方のタンクから少ない方のタンクにインクを移送することにより、インク残量の少ない方のタンクでは、インクの供給を受けることによって撹拌効果が得られる。すなわち、インクの供給によって流入してきたインクはもちろん、残存していたインクもタンク内で流動するため、電源オフ時においてインク中の固形分が沈降していても、これが撹拌され、混合される。したがって、このように固形分が再度均一に分散されるため、インクはその固形分濃度が均一化されることになる。
【００４２】
よって、インク残量の少ない方のタンクがサブタンク２であった場合には、制御装置１９によって接続管１３の開閉弁７を再度開放し、通常時の作動をなさせることにより、サブタンク２から記録ヘッド３にインクを供給し、さらに記録ヘッド３からインクを吐出させる。
【００４３】
また、インク残量の少ない方のタンクがメインタンク６であった場合には、制御装置１９によって加圧ポンプ１６（液体移送手段）を作動させ、メインタンク６のインクをサブタンク２に移送（返送）させる。これにより、サブタンク２に移送されたインクはその固形分濃度がさらに均一化される。その後、制御装置１９によって接続管１３の開閉弁７を再度開放し、前述したようにサブタンク２から記録ヘッド３にインクを供給し、さらに記録ヘッド３からインクを吐出させる。
したがって、このようにタンク内のインクの固形分濃度を均一化した後、このインクを記録ヘッド３に供給し、吐出を行わせるようにしているので、インク中の固形分の沈降に起因する不都合が解消し、吐出性が安定するとともに、記録品質も均一化して向上するようになる。
【００４４】
次に、沈降分離の度合いが多い場合として、例えば電源遮断時間が４８時間以上の場合について説明する。
制御装置１９は、オンオフ検出部２１によって電源オフから電源オンに切り換わったことを検出し、さらにタイマー２２によって検出された電源遮断時間が４８時間以上であることを検出すると、先の例と同様にして接続管１３の開閉弁７を閉止させ、第１のインク残量検出装置１７、第２のインク残量検出装置１８によってサブタンク２内、及びメインタンク６内のインク残量をそれぞれ検出させる。
【００４５】
サブタンク２内及びメインタンク６内のインク残量がそれぞれ検出されると、その検出結果は制御装置１９の演算部２０に送られる。そして、ここで各インク残量が比較されることにより、いずれのタンクの残量が多いかが制御装置１９に認識される。
すると、制御装置１９のインク移送制御部２３は、先の例と同様にしてインク残量の多い方のタンクから少ない方のタンクにインクを移送するように、前記の液体移送手段、すなわち加圧ポンプ１４あるいは加圧ポンプ１６を動作させる。その際、基本的にはインク残量の多い方のタンクの残量全てを少ない方のタンクに移送することなく、予め設定された量、例えば半分量〜９５％程度の量の適宜量を移送する。
【００４６】
このとき、電源遮断時間が４８時間（所定時間）以上であることから、液体残量の多い方のタンクでも固形分の沈降が進み、したがってタンク内の上部と下部との固形分濃度が大きく異なってしまっている場合がある。すると、そのような状態で仮に上部の液体（上澄み液）だけが液体残量の少ない方のタンクに移送されると、このタンクでは液体中の固形分濃度の低下が起こってしまう。
【００４７】
そこで、本例では、インク残量の多い方のタンクから少ない方のタンクにインクを所定量（適宜量）移送した後、制御装置１９は、タンク間でのインクの移送方向が逆になるように、前記の液体移送手段を動作させる。すなわち、先に作動させていた加圧ポンプを停止し、停止させていた加圧ポンプ１６を作動させる。これにより、両方のタンク２、６では沈降が解消されるとともに、それぞれのタンクのインク間で、固形分濃度が均一化する。
【００４８】
したがって、このようにタンク内のインクの固形分濃度を均一化した後、このインクを記録ヘッド３に供給し、吐出を行わせることにより、インク中の固形分の沈降に起因する不都合を解消し、吐出性を安定させることができるとともに、記録品質を均一化して記録品質の向上を図ることができる。
【００４９】
なお、前記実施形態では、電源遮断時間に基づいて制御方法を異ならせる場合について説明したが、これ以外にも、例えばサブタンク２とメインタンク６との間の、インク残量の比に基づいて、制御方法を異ならせることもできる。
【００５０】
具体的には、例えばタンク間のインク残量比が予め設定した所定比未満であるか、所定比以上であるかを演算部２０で検出する。そして、所定比以上、例えば２倍以上である場合には、多い方のタンクから少ない方のタンクにインクを移送する際、１回目の移送では残量全てを移送することなく、少量、例えば全量の半分以下を移送する。すなわち、多い方のタンクの残量が容量比で９０、少ない方のタンクの残量が容量比で１０の場合、まず、多い方から少ない方に容量比で１０を移送する。
【００５１】
続いて、少ない方から多い方に返送するが、その際、例えば残量の全てを移送する。すなわち、前記のように９０から１０を移送し、８０：２０になったら、２０全てを返送することにより、１００：０にする。
その後、必要に応じて全量（あるいは適宜量）の移送を所望回数繰り返し、最終的にサブタンク側に所望量が残るようにし、その状態で開閉弁７を開放し、サブタンク２から記録ヘッド３にインクを供給する。
【００５２】
このようにしても、タンク内に沈降していた固形分を再度均一に分散させることができ、したがってインクの固形分濃度を均一化し、吐出性の安定化や記録品質の向上を図ることができる。
【００５３】
図５は本発明の他の実施形態を説明するための、記録ヘッド３の周辺における要部構成を示す模式図である。
本実施形態が図２に示した実施形態と異なるところは、図２に示した先の実施形態ではサブタンク（第１のタンク）２のみが記録ヘッド（液体噴射ヘッド）３に接続管（第２の流路）１３を介して直接連通しているのに対し、図５に示した本実施形態では、サブタンク２、メインタンク６の両方とも、第１接続管１３ａ、第２接続管１３ｂを介して記録ヘッド３に直接連通している点である。
【００５４】
したがって、本実施形態では、「サブタンク」、「メインタンク」という呼称によって第１のタンク２と第２のタンク６とを分ける意味がなく、以下では、第１のタンク２、第２のタンク６として記載する。なお、いずれの側のタンクを、先の実施形態におけるインクカートリッジで構成してもよい。
また、本実施形態では、第１接続管１３ａに第１開閉弁７ａが設けられており、第２接続管１３ｂに第２開閉弁７ｂが設けられている。そして、第１接続管１３ａと第２接続管１３ｂとにより、本発明の第２の流路が構成され、第１開閉弁７ａと第２開閉弁７ｂとにより、本発明の切換弁が構成されている。
【００５５】
このような構成からなるプリンターの動作を説明する。
このプリンターにあっても、図２に示した構成のプリンターと同様に、電源がオンからオフに切り換えられると、制御装置１９のオンオフ検出部２１が電源オフ時を検出し、タイマー２２では電源遮断時間をカウントする。
そして、再度プリンターを動作させるべく、電源をオンにすると、前記オンオフ検出部２１では電源オン時を検出し、タイマー２２では電源遮断時間を検出する。
【００５６】
なお、この実施形態でも、先の実施形態と同様に、タイマー２２で検出された電源遮断時間に基づき、沈降分離の度合いが少ない場合と多い場合とで、制御装置１９は前記液体移送手段の制御方法を異ならせている。
【００５７】
まず、沈降分離の度合いが少ない場合として、例えば電源遮断時間が４８時間未満の場合ついての制御方法を説明する。
制御装置１９は、オンオフ検出部２１によって電源オフから電源オンに切り換わったことを検出し、さらにタイマー２２によって検出された電源遮断時間が４８時間未満であることを検出すると、第１接続管１３ａの第１開閉弁７ａ、及び第２接続管１３ｂの第２開閉弁７ｂを共に閉止させ、第１のインク残量検出装置１７、第２のインク残量検出装置１８によって第１のタンク２内、及び第２のタンク６内のインク残量をそれぞれ検出させる。
【００５８】
第１のタンク２内及び第２のタンク６内のインク残量がそれぞれ検出されると、先の実施形態と同様にして各インク残量が比較され、いずれのタンクの残量が多いかが制御装置１９に認識される。
そして、制御装置１９は、そのインク移送制御部２３により、インク残量の多い方のタンクから少ない方のタンクにインクを移送するように、前記の液体移送手段（加圧ポンプ１４あるいは加圧ポンプ１６）を動作させる。その際、基本的にはインク残量の多い方のタンクの残量全てを少ない方のタンクに移送することなく、予め設定された量、例えば半分量〜９５％程度の量の適宜量を移送するのは、前述した通りである。
【００５９】
このように、インク残量の多い方のタンクから少ない方のタンクにインクを移送することにより、インク残量の少ない方のタンクでは、先の実施形態と同様に、インクの供給を受けることによって撹拌効果が得られる。したがって、このように固形分が再度均一に分散されるため、インクはその固形分濃度が均一化されることになる。
【００６０】
よって、このようにインクの移送を行ったら、制御装置１９によってインクが移送された側のタンク、すなわちインク残量が少なかった側のタンクに対応する接続管（第２の流路）の開閉弁を開放し、通常時の作動をなさせることにより、サブタンク２から記録ヘッド３にインクを供給し、さらに記録ヘッド３からインクを吐出させる。
したがって、先の実施形態において、インク残量が少なかった側のタンクがメインタンク６であった場合に、最終的にメインタンク６のインクをサブタンク２に再度移送する必要があったのに対し、本実施形態ではその必要がなくなり、インクの吐出による印刷をより迅速に行うことが可能になる。
【００６１】
また、沈降分離の度合いが多い場合として、例えば電源遮断時間が４８時間以上の場合では、４８時間未満の場合の、一回目のインク移送（インク残量の多い方のタンクから少ない方のタンクへのインク移送）に続いて、先の実施形態と同様にして、タンク間でのインクの移送方向を逆にした、２回目のインク移送を行う。
これにより、両方のタンク２、６では沈降が解消されるとともに、それぞれのタンクのインク間で、固形分濃度が均一化する。
【００６２】
よって、このようにインクの移送を行ったら、制御装置１９によってインクが最後に移送された側のタンクに対応する接続管（第２の流路）の開閉弁を開放し、通常時の作動をなさせることにより、サブタンク２から記録ヘッド３にインクを供給し、さらに記録ヘッド３からインクを吐出させる。
【００６３】
このような構成のプリンターにあっても、タンク内のインクの固形分濃度を均一化した後、このインクを記録ヘッド３から吐出させるので、インク中の固形分の沈降に起因する不都合を解消し、吐出性を安定させることができるとともに、記録品質を均一化して記録品質の向上を図ることができる。
また、第１の開閉弁７ａ及び第２の開閉弁７ｂによって沈降を解消した側のタンクを選択し、液体噴射ヘッドに液体を供給するので、沈降に起因する不都合をより確実に解消することができる。
【００６４】
なお、本発明は前記実施形態に限定されることなく、本発明の要旨を逸脱しない範囲で種々の変更が可能である。
例えば、前記実施形態においては、タンク間でのインクの移送を１回又は２回に限ることなく、３回以上行ってもよい。そして、その際の移送量についても、適宜に設定することができる。
【００６５】
また、図５に示した実施形態では、特に３回以上インクの移送を行う場合などでは、最終的に記録ヘッド３に連通させるタンクを、制御手段１９によってインク残量の多い方のタンクを選択し、これに対応する開閉弁を開放するようにしてもよい。このようにすれば、液体残量の多い方のタンクから液体噴射ヘッドに優先的に液体を供給することができ、したがって液体噴射ヘッドから長時間安定して液滴吐出を行うことができる。
また、図５に示した実施形態においても、図２に示した実施形態と同様に、第１のタンク２と第２のタンク６との間の、インク残量の比に基づいて、制御方法を異ならせるようにしてもよい。
【００６６】
さらに、図５に示した実施形態においては、第２の流路を第１接続管１３ａと第２接続管１３ｂとで構成し、切換弁を第１開閉弁７ａと第２開閉弁７ｂとで構成したが、例えば第１接続管１３ａと第２接続管１３ｂとを途中で合流させて第２の流路とし、これを記録ヘッドに連通させてもよく、その場合に、合流地点において３方弁を設けることにより、この３方弁を切換弁としてもよい。
【００６７】
また、前記実施形態では、本発明の液体噴射装置を民生用のプリンターに適用した場合について説明したが、本発明はこれに限ることなく、例えば液晶表示装置や有機ＥＬ装置におけるカラーフィルターの製造などに用いられる、工業用の液体噴射装置に適用することもできる。
【符号の説明】
【００６８】
１…プリンター装置（液体噴射装置）、２…サブタンク（第１のタンク）、３…記録ヘッド（液体噴射ヘッド）、５…プリンター本体、６…メインタンク（第２のタンク）、７…開閉弁、７ａ…第１開閉弁（切換弁）、７ｂ…第２開閉弁（切換弁）、１３…接続管（第２の流路）、１３ａ…第１接続管（第２の流路）、１３ｂ…第２接続管（第２の流路）、１４…加圧ポンプ（液体移送手段）、１５…接続チューブ（第１の流路）、１６…加圧ポンプ（液体移送手段）、１７…第１のインク残量検出装置（第１の液体残量検出装置）、１８…第２のインク残量検出装置（第２の液体残量検出装置）、１９…制御装置（制御手段）、２０…演算部、２１…オンオフ検出部（オンオフ検出手段）、２２…タイマー（電源遮断時間検出手段）、２３…インク移送制御部
【図１】
2011110833.tif 000003
【図２】
2011110833.tif 000004
【図３】
2011110833.tif 000005
【図４】
2011110833.tif 000006
【図５】
2011110833.tif 000007